(57)【要約】      （修正有）【課題】便座シートの内部で細菌の繁殖を効果的に抑制し、使用時の安全性を効果的に向上させ、さらに上端の熱風綿層によってより使いやすくなり、使用時の快適さを効果的に向上させる、使い捨て便座シートを提供する。【解決手段】本体の上端に固定的に設置される熱風綿層２、前記熱風綿層の下端に固定的に設置される不織布基材３、前記不織布基材の下端に固定的に設置される接着剤Ａ４、前記接着剤Ａの下端に固定的に設置される接着剤Ｂを含み、前記熱風綿層は本体の上面であり、前記接着剤Ａは不織布基材と接着接合し、前記接着剤Ｂは接着剤Ａと接着接合し、前記接着剤Ｂは本体の底部であり、接着剤Ｂと接着剤Ａによって接合される。接着剤Ａの接着力は接着剤Ｂより高いため、当該製品を便座カバーから接着剤を残さずに容易に剥離することができる。【選択図】図２
0003234337.tif 000002
【実用新案登録請求の範囲】
【請求項１】
使い捨て便座シートは、本体（１）を含み、その特徴は下記のとおりである。前記本体（１）の上端に熱風綿層（２）が固定的に設置され、前記熱風綿層（２）の下端に不織布基材（３）が固定的に設置され、前記不織布基材（３）の下端に接着剤Ａ（４）が固定的に設置され、前記接着剤Ａ（４）の下端に接着剤Ｂ（５）が固定的に設置される。
【請求項２】
権利請求項１に記載されている使い捨て便座シートの特徴は下記のとおりである。前記熱風綿層（２）は本体（１）の上面であり、前記接着剤Ａ（４）は不織布基材（３）と接着接合される。
【請求項３】
権利請求項２に記載されている使い捨て便座シートの特徴は下記のとおりである。前記接着剤Ｂ（５）は接着剤Ａ（４）と接着接合され、前記接着剤Ｂ（５）は本体（１）の底部である。
【考案の詳細な説明】
【技術分野】
【０００１】
本実用新案は便座シートの技術分野に関し、具体的には使い捨て便座シートのことである。
【背景技術】
【０００２】
便座シートは生活用品であり、便座に貼り付けられることにより、トイレの装飾・美化の役割を果たすものである。その特徴は撥水、防臭、繰り返して洗濯可能であることと、表面として化学繊維織物、紙、フィルムまたは特殊素材が使われ、様々な装飾の模様が印刷され、裏面としてビスコースとＰＰフィルムが使われる。
【０００３】
便座シートを便座カバーに直接貼り付けることにより、トイレの装飾・美化の機能を果たし、全体のリフォームスタイルに合わせ、所有者の生活の好みと個人の気品を表し、装飾効果は現代家庭にも非常に適しており、若い世代のリフォームスタイルの潮流をリードする。
【０００４】
既存の便座シートは単層の接着剤で接合されているため、取り替える際に比較的に手間がかかり、さらに内部に抗菌の機能を備えず、衛生面で問題がある。
【考案の概要】
【考案が解決しようとする課題】
【０００５】
本実用新案は使い捨て便座シートを提供し、前記技術背景に記載されている既存の使い捨て便座シートがほぼ単層の接着剤で接合されているため、取り換え時に手間がかかり、また抗菌と除菌の効果がなく、不衛生の課題を解決するものである。
【課題を解決するための手段】
【０００６】
前記の目的を実現するために、本実用新案は以下の技術的解決案を提供する。
【０００７】
使い捨て便座シートを公開し、本体を含み、前記本体の上端に熱風綿層が固定的に設置され、前記熱風綿層の下端に不織布基材が固定的に設置され、前記不織布基材の下端に接着剤Ａが固定的に設置され、前記接着剤Ａの下端に接着剤Ｂが固定的に設置される。
【０００８】
比較的に優位性があることは、前記熱風綿層はは本体の上面であり、前記接着剤Ａは不織布基材と接着接合され、不織布基材は抗菌性を備えるため、便座シートの内部に細菌の繁殖を効果的に抑制し、使用時の清潔感と衛生性を効果的に向上させる。
【０００９】
比較的に優位性があることは、前記接着剤Ｂは接着剤Ａと接着接合され、前記接着剤Ｂは本体の底部にあり、接着剤Ｂ（５）と接着剤Ａ（４）によって接合されることにより、次回が貼り付けやすくなり、使用時の利便性を効果的に向上させる。
【考案の効果】
【００１０】
既存の技術に比べ、本実用新案の有益な効果は下記のとおりである。
【００１１】
１、該使い捨て便座シートの不織布基材は接着剤Ａに接着される。接着剤Ａの接着力が接着剤Ｂよりため、接着剤Ａは不織布基材に安定的に付着し、接着剤Ｂの外側に剥離紙が貼り付けられ、使用時では剥離紙をはがし、接着剤を便座に塗布し、接着剤Ｂは便座カバーに接着することにより、便座カバーへ貼り付けるという製品の機能を保証し、また接着剤Ａの接着力が接着剤Ｂより強いため、便座カバーから該製品を容易に剥がすことができる。また、内部に抗菌性の不織布が設置されているため、便座シートの内部の細菌の繁殖を効果的に抑制し、安全性を効果的に向上させ、さらに、上端の熱風綿層は使用時の快適さを効果的に高める。
【図面の簡単な説明】
【００１２】
【図１】本実用新案の立体構造を示す概略図である。
【図２】本実用新案の立体構造を示す概略図である。
【図３】本実用新案の接着剤Ａの立体構造を示す概略図である；概略図において、１、本体；２、熱風綿層；３、不織布基材；４、接着剤Ａ；５、接着剤Ｂ。
【考案を実施するための形態】
【００１３】
以下に本実用新案の実施形態における添付図面を参照し、本実用新案の実施形態における技術的解決策を明確かつ完全に説明する。
【００１４】
また、記載される実施形態は本実用新案の実施形態の一部に過ぎず、すべての実施形態ではないことが明らかである。  本実用新案の実施形態に基づき、本分野の一般技術者が創造的作業なしに得られた他のすべての実施形態は、本実用新案の保護範囲に含まれるものとする。
【００１５】
図１〜３を参照してください。このユーティリティモデルは技術的な解決策を提供します。ボディ１を含む使い捨てトイレステッカー、ボディ１の上端には熱風綿層２が固定され、下端には熱風綿層２が固定されています。熱風綿層２には不織布ベースが固定して設けられている不織布基板３の下端にはＡ接着剤４が固定されており、Ａ接着剤４の下端にはＡ接着剤４が固定されている。  接着剤Ｂ５。
【００１６】
また、熱風綿層２は本体１の上面であり、Ａ接着剤４は不織布基材３に接着剤で接続されており、便座はＢを介して便座の上端に取り付けられている。下端の接着剤５と内側の不織布布ベースの材料３は抗菌材料であり、トイレのステッカーの内側を抑制して、内部での細菌の増殖を防ぎ、使用中の安全性に影響を与えることができます。接着剤Ａ４と下端の接着剤Ｂ５を組み合わせて、接着剤Ａ４を接着剤Ｂ５の上端から引き剥がし、接着剤Ｂ５をトイレのふたの上端に取り付けて、次の使用を容易にすることができます。  、効果的に利便性を向上させ、破れた便座をゴミ箱に捨てます。
【００１７】
さらに、接着剤Ｂ  ５は接着剤Ａ  ４に接続され、接着剤Ｂ  ５は本体１の底部であり、接着剤Ｂ接着剤５および接着剤Ａ  ４が結合され、トイレステッカーが剥がされたときに接着剤Ｂ  ５付属トイレカバーの上端に、次回の貼り付けが簡単で、使い勝手が向上します。
【００１８】
動作原理：使用時、不織布基材３はＡ接着剤４に接続され、Ａ接着剤４の外側はＢ接着剤５に接続される。Ａ接着剤４の特徴は、粘度がＢ接着剤５よりも大きく、Ａ接着剤４は不織布にしっかりと取り付けられている。織布基材３では、Ａ接着剤４の外側がＢ接着剤５、Ｂ接着剤５に接続されている。不織布を貼り付けます。使用する場合は、不織布をはがして接着剤をトイレに貼り付けます。接着剤Ｂ５はトイレリングに接続します。製品がトイレシートに取り付けられることを確認してください。必要な場合接着剤Ａ４の接着力は接着剤Ｂ５の接着力よりも大きいため、製品は接着剤が残っていない状態でトイレのシートから簡単に取り外すことができ、繰り返し接着することができます。脱ガムせずに閉じます。
【００１９】
最後に、上記の内容は、現在の実用新案の技術的解決策を説明するためにのみ使用され、現在の実用新案の保護の範囲を制限するものではないことに留意されたい。本発明の実用新案の技術的解決策はすべてである。それは、本発明の技術的解決策の本質および範囲から逸脱するものではな
【図１】
0003234337.tif 000003
【図２】
0003234337.tif 000004
【図３】
0003234337.tif 000005